(57)【要約】【課題】  少なくとも夏には自然の状態で涼感を得ることができるとともに、四季を通じて快適な住環境を得られる通風床及び床を提供すること。【解決手段】  この通風床１は、床面を格子状、スリット状など通風溝４を有する面に形成して通気性をもたせている。通風床１は、基板３と、この基板３の上面に所定間隔をおいて複数個設置され、該間隔をスリット状の通風溝４に形成した長尺状の主材２とを具え、これら主材２には長手方向に所定の間隔をおいて複数の通風口４が、隣接する主材２の通風口４と連通して形成されている。【選択図】        図１
2006214115.tif 000002
【特許請求の範囲】
【請求項１】
床面を格子状、スリット状など通風溝を有する面に形成して通気性をもたせたことを特徴とする通風床。
【請求項２】
基板と、この基板の上面又は下面に所定間隔をおいて複数個設置され、該間隔をスリット状の通風溝に形成した長尺状の主材とを具え、これら主材には長手方向に所定の間隔をおいて複数の通風口が、隣接する主材の通風口と連通して形成されていることを特徴とする通風床。
【請求項３】
主材は、高さが通風溝の幅よりも大きくなっている請求項２に記載の通風床。
【請求項４】
通風口は、基板側に基板と接する部分が切り欠かれて形成されている請求項２又は３に記載の通風床。
【請求項５】
通風口に蓄冷材又は蓄熱材を挿入して冷風又は温風を送るようにしている請求項２ないし４のいずれかに記載の通風床。
【請求項６】
通風口の近傍に冷暖房機器などの機器を設置して通風口に冷風又は温風を送るようにしている請求項２ないし４のいずれかに記載の通風床。
【請求項７】
冷暖房機器などの機器に近い側にある主材の間隔は狭く、遠い側にある主材の間隔は広くなっている請求項６に記載の通風床。
【請求項８】
冷暖房機器などの機器に近い側にある主材の通風溝は機器側に傾斜し、遠い側にある主材の通風溝は機器と反対側に傾斜している請求項６に記載の通風床。
【請求項９】
請求項１ないし８のいずれかに記載の通風床を床構造体の上面に設置したことを特徴とする床。
【請求項１０】
床構造体の上面に段差解消床体が、通風床と隣接し、かつその上面が通風床の上面と面一に設置されている請求項９に記載の床。
【請求項１１】
通風床の一側にある通風口と床下を連通させて床下の冷たい空気を通風床に通風する第１の連通路を床構造体に設けている請求項９又は１０に記載の床。
【請求項１２】
通風床の一側にある通風口と蓄熱体を連通させて蓄熱体から蓄熱により温まった空気を通風床に通風する第２の連通路を蓄熱体との接続部に設けている請求項９又は１０に記載の床。
【請求項１３】
連通路と第２の連通路を開閉する開閉板を設け、夏には第２の連通路を閉じ、第１連通路を開いて、床下の冷たい空気を通風床に通風する一方、冬には第１連通路を閉じ、第２の連通路を開いて、蓄熱体から温まった空気を通風床に通風する請求項１１又は１２に記載の床。
【請求項１４】
開いた第１連通路又は第２の連通路から冷風又は温風を通風口へ強制的に送る送風ファンを通風口の近傍に設けている請求項１３に記載の床。
【請求項１５】
請求項９ないし１４のいずれかに記載の床を具えた建物。
【発明の詳細な説明】
【技術分野】
【０００１】
この発明は、通風床及び床に関し、特に木質系の建物において夏冬を問わず四季を通じて快適な住環境を提供することが可能な床の技術に関するものである。
【背景技術】
【０００２】
従来、木質系の建物に用いられる床は板材が床面に平坦かつ隙間無く敷設された構造となっているため、夏の日差しの強い日中に床に横臥したりすると、身体の床に接する部位に汗が溜まり、べとついてうっとうしく感じる等の問題がある。換言すると、従来の床は床面から何らの涼感が得られない作りであった。
【発明の開示】
【発明が解決しようとする課題】
【０００３】
そのため、床面直下に小径のパイプを配管し、そこに冷水等を通すことにより床面を冷やす床冷房装置が提案されている。しかし、床冷房装置は、床面を冷やすことにより床が結露してしまうことがあるという問題があるとともに、冷たい空気は下方に集まる性質により床面付近ばかり冷えて居室の上部と下部とで温度差が大きくなり不快であるというような問題を抱え、床暖房装置ほど普及していない。
【０００４】
そこでこの発明は、前記のような従来の問題点を解決し、少なくとも夏には自然の状態で涼感を得ることができるとともに、四季を通じて快適な住環境を得られる通風床及び床を提供することを目的とする。
【課題を解決するための手段】
【０００５】
前記目的を達成するため、請求項１に記載の発明は、床面を格子状、スリット状など通風溝を有する面に形成して通気性をもたせたことを特徴とする通風床である。
【０００６】
請求項２に記載の発明は、基板と、この基板の上面又は下面に所定間隔をおいて複数個設置され、該間隔をスリット状の通風溝に形成した長尺状の主材とを具え、これら主材には長手方向に所定の間隔をおいて複数の通風口が、隣接する主材の通風口と連通して形成されていることを特徴とする通風床である。
【０００７】
請求項３に記載の発明は、請求項２に記載の発明において、主材は、高さが通風溝の幅よりも大きくなっていることを特徴とする。請求項４に記載の発明は、請求項２又は３に記載の発明において、通風口は、基板側に基板と接する部分が切り欠かれて形成されていることを特徴とする。請求項５に記載の発明は、請求項２ないし４のいずれかに記載の発明において、通風口に蓄冷材又は蓄熱材を挿入して冷風又は温風を送るようにしていることを特徴とする。請求項６に記載の発明は、請求項２ないし４のいずれかに記載の発明において、通風口の近傍に冷暖房機器などの機器を設置して通風口に冷風又は温風を送るようにしていることを特徴とする。請求項７に記載の発明は、請求項６に記載の発明において、冷暖房機器などの機器に近い側にある主材の間隔は狭く、遠い側にある主材の間隔は広くなっていることを特徴とする。請求項８に記載の発明は、請求項６に記載の発明において、冷暖房機器などの機器に近い側にある主材の通風溝は機器側に傾斜し、遠い側にある主材の通風溝は機器と反対側に傾斜していることを特徴とする。
【０００８】
請求項９に記載の発明は、請求項１ないし８のいずれかに記載の発明において、通風床を床構造体の上面に設置したことを特徴とする床である。
【０００９】
請求項１０に記載の発明は、請求項９に記載の発明において、床構造体の上面に段差解消床体が通風床と隣接し、かつその上面が通風床の上面と面一に設置されていることを特徴とする。請求項１１に記載の発明は、請求項９又は１０に記載の発明において、通風床の一側にある通風口と床下を連通させて床下の冷たい空気を通風床に通風する第１の連通路を床構造体に設けていることを特徴とする。請求項１２に記載の発明は、請求項９又は１０に記載の発明において、通風床の一側にある通風口と蓄熱体を連通させて蓄熱体から蓄熱により温まった空気を通風床に通風する第２の連通路を蓄熱体との接続部に設けていることを特徴とする。請求項１３に記載の発明は、請求項１１又は１２に記載の発明において、連通路と第２の連通路を開閉する開閉板を設け、夏には第２の連通路を閉じ、第１連通路を開いて、床下の冷たい空気を通風床に通風する一方、冬には第１連通路を閉じ、第２の連通路を開いて、蓄熱体から温まった空気を通風床に通風することを特徴とする。請求項１４に記載の発明は、請求項１３に記載の発明において、開いた第１連通路又は第２の連通路から冷風又は温風を通風口へ強制的に送る送風ファンを通風口の近傍に設けていることを特徴とする。請求項１５に記載の発明は、請求項９ないし１４のいずれかに記載の床を具えた建物である。
【発明の効果】
【００１０】
この発明は前記のようであって、請求項１〜８に記載の発明に係る通風床にあっては、床面を格子状、スリット状など通風溝を有する面に形成して通気性をもたせたので、通風溝によって自然の状態で通気性を確保することができ、夏においても涼感を得ることができる。また、従来のように電気エネルギーを使用せずともよいので、経済的であるとともに、通風溝により、身体と床面とが全面的に接触しないため、接触における発汗を減らすことができる。請求項９〜１４に記載の発明に係る床にあっては、通風床を床構造体の上面に設置して使用することが可能となる。請求項１５に記載の発明に係る建物にあっては、請求項９〜１４に記載の発明に係る床を具えて、快適で安全、かつ経済的な冷暖房を確保することができる。
【発明を実施するための最良の形態】
【００１１】
この発明の一実施の形態を、添付図面を参照して説明する。
【００１２】
図１は、通風床がガラス窓に面した居室の一部に設置された概略図である。図２は、通風床の概略構成を示し、（Ａ）は長手方向の一部を省略した平面図、（Ｂ）は（Ａ）のＣ−Ｃ’線に沿った側面図、（Ｃ）は（Ａ）のＢ−Ｂ’線に沿った断面図である。図３は、通風床の長手方向および短手方向の一部を省略した斜視図である。
【００１３】
１は通風床で、この通風溝１は、木製で長尺状の主材２と平面矩形状の基板３とで構成されており、基板３の上面に主材２が所定間隔をおいて複数個設置されている。隣り合う主材２の間にはスリット状の通風溝４が形成され、その間隔はこの例では５〜２０ｍｍ程度である。前記のような通風溝４により主材２の長手方向に沿って風が流れるようになっている。主材２には、長手方向に所定の間隔をおいて複数の通風口５が、その側面に設けられている。通風口５は、矩形状で基板３側が切り欠かれている。隣接する主材２の通風口５はそれぞれ連通して通風溝４と直交する通風路６が形成されている。主材２は、その高さＨが通風溝４の幅Ｗよりも大きく形成されている。
【００１４】
前記のような通風床１を用いれば、スリット状に形成された通風溝４により通気性がよいため、図１に示すように夏に通風床１の上で横臥した場合でもべとつき感がなく、涼感を得ることができる。また、身体と通風床１との接触面積が減るため接触部における発汗を抑えることができる。
【００１５】
前記においては基板３の上面に主材２を設置したが、天地を逆にして基板３の下面に主材２が配置されるような構成としてもよく、図４はその一例を示す。このような通風床１を用いれば、例えば涼感を必要としない冬に基板３の上面に絨毯加工を施して温感を得ることができる。このように、通風床１の上下面を、気候に応じて選択することにより、気候に応じた快適性を実現することができる。
【００１６】
前記では自然の状態で涼感又は温感を得られるが、より冷暖房効果の向上を図るために、図５に示すように公知の蓄冷材７又は蓄熱材８を任意の通風口５から通風路６に矢印で示すように挿入してもよい。具体的にどの通風路６に挿入するかは必要に応じ選択する。このような蓄冷材７又は蓄熱材８を用いれば蓄冷材７又は蓄熱材８からの冷風又は温風が、通風路６から通風溝４を経て上方に流れる。これにより涼感等を得ることができる。
【００１７】
また、さらに冷暖房効果の向上を図るために、図６に示すように冷房機器１０又は暖房機器１１（以下、「冷暖房機器１０（１１）」という。）等の機器をその送風口が、通風床１の通風口５と連通するように接続して設置してもよい。冷暖房機器１０（１１）は、通風溝４のある床面全体に微風が送れれば十分である。冷風又は温風は通風路６から通風溝４を経て上方に流れる。これにより涼感等を得ることができる。この例では冷暖房機器１０（１１）をそれぞれ別個に設置したが、これに限らず、両者の性能を備えた冷暖房機器でもよい。
【００１８】
図７は、図６の変形例である。これは冷暖房機器１０（１１）に近い側にある主材２の間隔、すなわち通風溝４の幅を狭くして通風溝４からの吹き出し量を抑える一方、遠い側にある主材２の間隔、すなわち通風溝４の幅を広くして通風溝４からの吹き出し量を上げるように構成されている。これにより、冷暖房機器１０（１１）の設置位置からの距離にかかわらず、通風床１の床面から吹き出す冷風又は温風の吹出し量をできるだけ均一に保つことができる。
【００１９】
図８も、図６の変形例である。これは冷暖房機器１０（１１）に近い側にある主材２の通風溝４を主材２ともども機器側に傾斜させて吹き出し量を抑える一方、遠い側にある主材２の通風溝４を主材２ともども機器と反対側に傾斜させて風がスムーズに流れるようにし、吹き出し量を上げるようにした構成となっている。このように通風溝４に傾斜をつけることにより冷暖房機器１０（１１）の設置位置からの距離にかかわらず、通風床１の床面から吹き出す冷風又は温風の吹出し量をできるだけ均一に保つことができる。
【００２０】
図９，１０は、通風床１を床構造体の上面に設置した床の実施の形態を示し、図９は全体図、図１０は部分拡大図である。この実施の形態では建物を支える柱１３，１３間の下部に床構造体１４が設けられ、この床構造体１４の上面にはフローリングなど一般床仕上げ１５が施され、この一般床仕上げ１５の上に通風床１が設置されている。通風床１は、一方の柱１３側にその一側面が接して設置されている。通風床１の他側面側は開放されている。このような床構造体１４の上面に設置された通風床１においても、他側面側の通風口４から通風路６に流れる冷風又は温風が通風路６から主材２間の通風溝４を経て上方に流れる。これにより涼感等を得ることができる。
【００２１】
この実施の形態では通風床１のみを床構造体１４の上面に設置したが、通風床１に隣接させて段差解消床体１７を設けてもよく、図１１，１２はその一例を示す。図１１において、段差解消床体１７と通風床１は、床構造体１４から段差解消床体１７の上面までの高さＨ１と床構造体１４から通風床１の上面までの高さＨ２は同一である。したがって、上面が面一にされて設置されている。段差解消床体１７の通風床１と接する一側面には風受け板１８が通風路６と対向するように取り付けられている。また、段差解消床体１７の反対側には通風床１を挟むように冷暖房機器１０（１１）が設置されている。この冷暖房機器１０（１１）からの冷風又は温風は図１２に示すように、通風路６から主材２間の通風溝４を経て上方に流れる。これにより涼感等を得ることができる。
【００２２】
図１３〜１６は、床の別の実施の形態を示し、この実施の形態では床構造体１４の上面に通風床１と段差解消床体１７が前記とは反対向きの、通風床１が窓側となるように配置されて設置されている。通風床１の窓側にある送風口５と床下空間２０が連通するように連通路２１が床構造体１４に形成されている。また、窓外には太陽光を受けて蓄熱する蓄熱体２３が設けられ、その下方には蓄熱室２４が形成されている。蓄熱体２３は、例えば、コンクリートやレンガ、石材など熱容量が大きい物質で形成され、太陽熱を吸収して蓄熱し易いようになっている。蓄熱室２４の窓側の一部には通風床１の送風口５と連通する連通路２５が形成されている。２７は両連通路２１，２５間にあって連通路を開閉する開閉板で、手動操作又は図示しない制御手段による自動操作により作動されるようになっている。２８は送風ファンである。また、通風床１と段差解消床体１７の細部構成は前記したものと同様であるので、同様の部分には同一符号を付して詳細な説明は省略することとする。
【００２３】
この実施の形態においては、図１３，１４に示すように、夏には、開閉板２７で連通路２５を閉じ、連通路２１を開くことにより、床下の冷気を送風ファン２８が吸引する。吸引された冷気は、開閉板２７により蓄熱室２４へ流れることなく、通風床１の通風口５に流れる。通風口５に流れた冷気は、通風路６を経て通風溝４から居室内に少しずつ吹き出す。これにより涼感を得ることができる。
【００２４】
一方、図１５，１６に示すように、冬には、開閉板２７で連通路２５を開き、連通路２１を閉じることにより、太陽光により暖められた蓄熱体２３からの温まった空気が送風ファン２８により吸引され、同様にして通風床１の通風口５に入り、通風路６を経て通風溝４から居室内に少しずつ吹き出す。これにより温感を得ることができる。
【００２５】
このように、夏には連通路２５を閉じ、連通路２１を開いて、床下の冷たい空気を通風床１に通風する一方、冬には連通路２１を閉じ、連通路２５を開いて、温まった空気を通風床１に通風するので、冷房と暖房の両方に使用できる。この場合には、太陽光など自然エネルギーを利用するので、電気代やガス代等の光熱費を節約することができる。また、春、秋のために開閉板２７を全開、全閉だけでなく、中間開度制御が可能なように設定してもよく、この場合には床下からの冷気と蓄熱室からの暖気を所定の割合で混合でき、居室内の温度を任意の温度に設定することができる。
【００２６】
図１７は、開閉板で連通路２１と連通路２５を同時に全閉可能とした例を示す。すなわち、この例では近接配置された１対の開閉板３１，３２が、開閉板３１が下部を枢支されて連通路２１を開閉可能に、開閉板３２が上部を枢支されて連通路２５を開閉可能になっていて、図示のように実線で示すように連通路２１と連通路２５を同時に全閉できるようになっている。
【００２７】
前記のような開閉板３１，３２を有する場合において、例えば冬の夜中には蓄熱体２３、蓄熱室２４は昼間に蓄えた熱も放出して冷えてしまい、居室内より温度が下がっていることが想定される。その際、連通路２５を閉じなければ、冷えた空気が居室内に流入してしまい、居室内温度を下げる結果となり、暖房効率が下がる。同様に連通路２１も閉じなければ、床下の冷たい空気が居室内に流入することにより、冬にも拘わらず居室内温度を下げてしまう。したがって、このようなときは連通路２１，２５の両方を同時に全閉にする必要がある。換言すると、冬の夜中や、昼間でも雪の日など蓄熱体２３に熱が蓄えられないような場合は、前記のように連通路２１，２５を同時に全閉にして、居室内温度の悪化を防ぐ必要がある。前記連通路２１，２５の全閉により、居室内温度を上げて暖房効率を上げることができる。
【００２８】
他の季節においても、冷暖房機器１０（１１）により居室内温度を調節している場合、床下の冷たい空気や蓄熱体２３で温まった空気が勝手に流入しないように遮断する必要がある。このような場合にも同様に連通路２１，２５を同時に全閉にする必要がある。これにより、居室内温度を上げて暖房効率を上げることができる。
【００２９】
尚、前記各実施の形態においては、主材２は木製として説明したが、これに限らず、例えば、樹脂で形成してもよい。また、床構造体１４の上に一般床仕上げ１５を設け、その上に通風床１を設置したが、これに限らず、床構造体１４の上面に直接設置してもよい。また、通風溝４は、スリット状に限定されず、格子状又は凸凹等、その形状は問わない。
【図面の簡単な説明】
【００３０】
【図１】この発明の一実施の形態を示す、通風床がガラス窓に面した居室の一部に設置された概略図である。
【図２】通風床の概略構成を示し、（Ａ）は長手方向の一部を省略した平面図、（Ｂ）は（Ａ）のＣ−Ｃ’線に沿った側面図、（Ｃ）は（Ａ）のＢ−Ｂ’線に沿った断面図である。
【図３】通風床の長手方向および短手方向の一部を省略した斜視図である
【図４】通風床の異なる使用例を示す正面図である。
【図５】蓄冷材又は蓄熱材を用いた例を示す図面である。
【図６】冷房機器又は暖房機器を用いた例を示す図面である。
【図７】通風床の変形例を示す図面である。
【図８】通風床の変形例を示す図面である。
【図９】通風床を用いた床に関する別の実施の形態を示す全体図である。
【図１０】同上の部分拡大図である。
【図１１】段差解消床体を設けた例を示す図面である。
【図１２】同上の部分拡大図である。
【図１３】床の別の実施の形態で、夏の使用例を示す全体図である。
【図１４】同上の部分拡大図である。
【図１５】同上の、冬の使用例を示す全体図である。
【図１６】同上の部分拡大図である。
【図１７】同上において開閉板で両連通路を同時に全閉可能とした例を示す部分拡大図である。
【符号の説明】
【００３１】
１  通風床                                ２  主材
３  基板                                  ４  通風溝
５  通風口                                ６  通風路
７  蓄冷材                                ８  蓄熱材
１０  冷房機器                            １１  暖房機器
１３  柱                                  １４  床構造体
１５  一般床仕上げ                        １７  段差解消床体
１８  風受け板                            ２０  床下空間
２１  連通路                              ２３  蓄熱体
２４  蓄熱室                              ２５  連通路
２７  開閉板                              ２８  送風ファン
【図１】
2006214115.tif 000003
【図２】
2006214115.tif 000004
【図３】
2006214115.tif 000005
【図４】
2006214115.tif 000006
【図５】
2006214115.tif 000007
【図６】
2006214115.tif 000008
【図７】
2006214115.tif 000009
【図８】
2006214115.tif 000010
【図９】
2006214115.tif 000011
【図１０】
2006214115.tif 000012
【図１１】
2006214115.tif 000013
【図１２】
2006214115.tif 000014
【図１３】
2006214115.tif 000015
【図１４】
2006214115.tif 000016
【図１５】
2006214115.tif 000017
【図１６】
2006214115.tif 000018
【図１７】
2006214115.tif 000019